(57)【特許請求の範囲】
【請求項１】
炉側壁に横長状に形成されて、燃焼用酸素含有ガスを加熱炉内の加熱対象物の上方の燃焼域に向けて広幅となる流動状態で供給する酸素含有ガス供給口が設けられ、
前記炉側壁の前記酸素含有ガス供給口の下方箇所に、前記燃焼域にガス燃料を噴出するガス燃料噴出部が設けられた加熱炉用の燃焼装置であって、
前記ガス燃料噴出部として、横幅方向の全幅に亘って分散する状態で複数の燃料噴出口を形成したバーナタイルが前記炉側壁に設置されている加熱炉用の燃焼装置。
【請求項２】
前記複数の燃料噴出口として、前記バーナタイルの横幅方向の中央側で且つ前記バーナタイルの上下幅方向の上部及び下部の夫々に、前記バーナタイルの横幅方向に並ぶ状態で形成される複数の上方噴出口及び複数の下方噴出口と、前記バーナタイルの上下幅方向の中央部に形成される中間噴出口とが設けられ、
前記中間噴出口として、前記バーナタイルの横幅方向の左方部及び右方部の夫々において、前記バーナタイルの横幅方向に並ぶ状態で形成される複数の左方噴出口と複数の右方噴出口とが設けられ、
前記上方噴出口、前記下方噴出口、及び、前記中間噴出口から分配して噴出されるガス燃料の分配率を変更調節する分配率調節手段が設けられている請求項１記載の加熱炉用の燃焼装置。
【請求項３】
前記中間噴出口として、前記バーナタイルの横幅方向の中央部に形成される中央噴出口が設けられている請求項２記載の加熱炉用の燃焼装置。
【請求項４】
前記上方噴出口、前記下方噴出口、及び、前記中間噴出口が、燃料ガスを集束させる方向に向けて噴出するように構成されている請求項２又は３記載の加熱炉用の燃焼装置。
【請求項５】
前記上方噴出口、前記下方噴出口、及び、前記中間噴出口が、ガス燃料の噴出方向を変更調節自在に構成されている請求項２又は３記載の加熱炉用の燃焼装置。
【請求項６】
前記酸素含有ガス供給口の一つに対して、複数の前記バーナタイルが、前記酸素含有ガス供給口の横幅方向に沿って並設されている請求項１〜５のいずれか１項に記載の加熱炉用の燃焼装置。
【発明の詳細な説明】
【技術分野】
【０００１】
本発明は、炉側壁に横長状に形成されて、燃焼用酸素含有ガスを加熱炉内の加熱対象物の上方の燃焼域に向けて広幅となる流動状態で供給する酸素含有ガス供給口が設けられ、
前記炉側壁の前記酸素含有ガス供給口の下方箇所に、前記燃焼域にガス燃料を噴出するガス燃料噴出部が設けられた加熱炉用の燃焼装置に関する。
【背景技術】
【０００２】
かかる加熱炉用の燃焼装置は、ガラスや金属等の溶解対象物を溶解する溶解炉や、鍛造品等の加熱対象物を加熱する加熱炉等の各種の加熱炉を加熱するために用いられるものである。
【０００３】
加熱炉用の燃焼装置においては、温度分布を均一化する状態で炉内を加熱することが望まれ、そして、そのように炉内の温度分布を均一化する場合には、ガス燃料噴出部にて、加熱対象物の上方の燃焼域の横幅方向に沿って広がる火炎を形成するように、ガス燃料を噴出するように構成する必要がある。
【０００４】
かかる加熱炉用の燃焼装置の第１従来例として、ガス燃料噴出部として、複数のガス燃料噴出ノズルを、燃焼域の横幅方向に沿って分散させた状態で炉側壁に各別に設置したものがある（例えば、特許文献１参照。）。
【０００５】
また、加熱炉用の燃焼装置の第２従来例として、ガス燃料噴出部として、燃焼域の横幅方向に沿って拡がる扇形状の火炎を形成するように、ガス燃料を平面視にて放射状に噴出するガス燃料噴出ノズルを炉側壁に設けたものがある（例えば、特許文献２参照。）。
【先行技術文献】
【特許文献】
【０００６】
【特許文献１】特開２００１−２０１２６２号公報
【特許文献２】特開２００４−３０１３６９号公報
【発明の概要】
【発明が解決しようとする課題】
【０００７】
第１従来例の加熱炉用の燃焼装置は、加熱対象物の上方の燃焼域の横幅方向に沿って分散して位置する複数のガス燃料噴出ノズルにてガス燃料を噴出することによって、燃焼域の横幅方向に沿って広がる火炎を良好に形成できるものであるが、複数のガス燃料噴出ノズルを、炉側壁に各別に設置するものであるため、複数のガス燃料噴出ノズルの設置作業が煩雑な作業となる不都合がある。
【０００８】
第２従来例の加熱炉用の燃焼装置は、ガス燃料を平面視にて放射状に噴出するガス燃料噴出ノズルを設けるものであるから、ガス燃料噴出ノズルの設置数が少なくなるため、ガス燃料噴出ノズルの設置作業の簡略化を図れるものの、燃焼域の横幅方向に沿って広がる扇形状の火炎を形成するものであるため、加熱対象物の全体を均一に加熱し難い不都合があった。
【０００９】
すなわち、燃焼域の横幅方向に沿って広がる扇形状の火炎は、その先端側においては、燃焼域の横幅方向に沿って十分に広がるものの、その根元側においては、燃料域の横幅方向に沿っての広がり範囲が狭いため、火炎の根元側においては、加熱対象物を適切に加熱し難いものであった。
【００１０】
本発明は、上記実情に鑑みて為されたものであって、その目的は、加熱対象物の全体を均一に加熱できながらも、設置作業の簡略化を図ることができる加熱炉用の燃焼装置を提供する点にある。
【課題を解決するための手段】
【００１１】
本発明の加熱炉用の燃焼装置は、炉側壁に横長状に形成されて、燃焼用酸素含有ガスを加熱炉内の加熱対象物の上方の燃焼域に向けて広幅となる流動状態で供給する酸素含有ガス供給口が設けられ、
前記炉側壁の前記酸素含有ガス供給口の下方箇所に、前記燃焼域にガス燃料を噴出するガス燃料噴出部が設けられたものであって、その第１特徴構成は、
前記ガス燃料噴出部として、横幅方向の全幅に亘って分散する状態で複数の燃料噴出口を形成したバーナタイルが前記炉側壁に設置されている点を特徴とする。
【００１２】
すなわち、横幅方向に沿って全幅に亘って分散する状態で複数の燃料噴出口を形成したバーナタイルが、ガス燃料噴出部として、炉側壁に設置されるものであるから、バーナタイルの横幅を十分に大きく形成することによって、複数の燃料噴出口を、燃焼域の横幅方向に沿う大きな幅に亘って分散する状態で位置させることができる。
【００１３】
したがって、複数の燃料噴出口からガス燃料を噴出させることによって、加熱対象物の上方の燃焼域の横幅方向に沿って十分に広がる火炎を形成することができ、しかも、複数の燃料噴出口から噴出されるガス燃料によって形成される火炎は、その根元側部分においても、燃焼域の横幅方向に沿って広がるものであるため、加熱対象物の全体を均一に加熱し易いものとなる。
【００１４】
また、燃焼域の横幅方向に沿って分散する状態で位置する複数の燃料噴出口が、バーナタイルに形成されるものであるから、バーナタイルを炉側壁に設置する簡単な設置作業によって、複数の燃焼噴出口を炉側壁に装備させることができる。
【００１５】
要するに、本発明の第１特徴構成によれば、加熱対象物の全体を均一に加熱できながらも、設置作業の簡略化を図ることができる加熱炉用の燃焼装置を提供できる。
【００１６】
本発明の第２特徴構成は、上記第１特徴構成に加えて、
前記複数の燃料噴出口として、前記バーナタイルの横幅方向の中央側で且つ前記バーナタイルの上下幅方向の上部及び下部の夫々に、前記バーナタイルの横幅方向に並ぶ状態で形成される複数の上方噴出口及び複数の下方噴出口と、前記バーナタイルの上下幅方向の中央部に形成される中間噴出口とが設けられ、
前記中間噴出口として、前記バーナタイルの横幅方向の左方部及び右方部の夫々において、前記バーナタイルの横幅方向に並ぶ状態で形成される複数の左方噴出口と複数の右方噴出口とが設けられ、
前記上方噴出口、前記下方噴出口、及び、前記中間噴出口から分配して噴出されるガス燃料の分配率を変更調節する分配率調節手段が設けられている点を特徴とする。
【００１７】
すなわち、分配率調節手段により、上方噴出口、下方噴出口、及び、中間噴出口から噴出されるガス燃料の分配率を変更調節することにより、火炎の形成状態を調節できる。
【００１８】
例えば、ガス燃料噴出部に供給されるガス燃料のうちの大部分又は全部を、上方噴出口と中間噴出口とから噴出される分配率に調節すれば、複数の左方噴出口、複数の上方噴出口、及び、複数の右方噴出口からガス燃料の大部分又は全部が噴出されることになるため、加熱対象物の上方の燃焼域の横幅方向に沿って広がる火炎を、上方寄りに形成することができる。
また、ガス燃料噴出部に供給されるガス燃料のうちの大部分又は全部を、下方噴出口と中間噴出口とから噴出される分配率に調節すれば、複数の左方噴出口、複数の下方噴出口、及び、複数の右方噴出口からガス燃料の大部分又は全部が噴出されることになるため、加熱対象物の上方の燃焼域の横幅方向に沿って広がる火炎を、下方寄りに形成することができる。
【００１９】
つまり、例えば、加熱炉としてのガラス溶解炉が、原料供給口からガラス溶解槽に供給したガラス原料を、原料供給側から溶解ガラス取出側に向けて流動させながら溶解させる形態の場合において、ガラス原料の流動方向における原料供給側箇所においては、火炎を上方寄りに形成し、ガラス原料の流動方向における溶解ガラス取出側箇所においては、火炎を下方よりに形成することができるものとなる。
【００２０】
説明を加えると、ガラス溶解槽の上面における原料供給側の部分は、塊状のガラス原料が浮遊して凸凹状であるため、火炎がガラス原料に当たらないようにするために、火炎を上方寄りに形成することが望まれ、また、ガラス溶解槽の上面における溶解ガラス取出側の部分は、ガラス原料が溶解して平坦状であるため、ガラス溶解槽の上面を効率良く加熱するために、火炎を下方よりに形成することが望まれるが、その要望に応じた状態の火炎を形成することができるのとなる。
【００２１】
尚、ガラス溶解槽の上面を効率良く加熱するために、火炎を下方よりに形成するにしても、ガラス原料が無色ガラスの場合には、ガラス溶解槽の溶解されたガラス原料の上面近傍を酸化雰囲気にすべく、火炎を溶解されたガラス原料の上面から離れた位置に形成し、ガラス原料が色つきガラスの場合には、ガラス溶解槽の溶解されたガラス原料の上面近傍を還元雰囲気にすべく、火炎を溶解されたガラス原料の上面に近接する位置に形成することが望まれるものとなるが、上方噴出口、下方噴出口、及び、中間噴出口から噴出されるガス燃料の分配率を変更調節することにより、所望の火炎を形成できるものとなる。
【００２２】
要するに、本発明の第２特徴構成によれば、上記第１特徴構成による作用効果に加えて、火炎の形成状態を調節できる加熱炉用の燃焼装置を提供できる。
【００２３】
本発明の第３特徴構成は、上記第２特徴構成に加えて、
前記中間噴出口として、前記バーナタイルの横幅方向の中央部に形成される中央噴出口が設けられている点を特徴とする。
【００２４】
すなわち、中間噴出口として、複数の左方噴出口及び複数の右方噴出口に加えて、バーナタイルの横幅方向の中央部に形成される中央噴出口が設けられているから、中間噴出口から噴出されるガス燃料の存在によって、複数の左方噴出口、複数の上方噴出口、複数の下方噴出口、及び、複数の右方噴出口から噴出されるガス燃料が、一体状態の火炎となって安定して燃焼し易いものとなる。
【００２５】
つまり、ガス燃料噴出部に供給されるガス燃料のうちの大部分又は全部を、上方噴出口と中間噴出口とから噴出させて、火炎を上方寄りに形成する場合において、複数の左方噴出口、複数の上方噴出口、及び、複数の右方噴出口から噴出されるガス燃料が、中間噴出口から噴出されるガス燃料の存在によって、一体状態の火炎となって安定して燃焼し易いものとなる。
【００２６】
同様に、ガス燃料噴出部に供給されるガス燃料のうちの大部分又は全部を、下方噴出口と中間噴出口とから噴出させて、火炎を下方寄りに形成する場合において、複数の左方噴出口、複数の下方噴出口、及び、複数の右方噴出口から噴出されるガス燃料が、中間噴出口から噴出されるガス燃料の存在によって、一体状態の火炎となって安定して燃焼し易いものとなる。
【００２７】
要するに、本発明の第３特徴構成によれば、上記第２特徴構成による作用効果に加えて、安定燃焼化を図ることができる加熱炉用の燃焼装置を提供できる。
【００２８】
本発明の第４特徴構成は、上記第３特徴構成に加えて、
前記上方噴出口、前記下方噴出口、及び、前記中間噴出口が、燃料ガスを集束させる方向に向けて噴出するように構成されている点を特徴とする。
【００２９】
すなわち、上方噴出口、下方噴出口、及び、中間噴出口が、燃料ガスを集束させる方向に向けて噴出するから、上方噴出口と中間噴出口とから噴出されるガス燃料が、一体状態の火炎となって燃焼することや、下方噴出口と中間噴出口とから噴出されるガス燃料が、一体状態の火炎となって燃焼することを、的確に行えるものとなって、安定燃焼化を一層向上できる。
【００３０】
つまり、ガス燃料噴出部に供給されるガス燃料のうちの大部分又は全部を、上方噴出口と中間噴出口とから噴出させて、火炎を上方寄りに形成する場合において、複数の左方噴出口、複数の上方噴出口、複数の右方噴出口、及び、中間噴出口から噴出されるガス燃料が、一体状態の火炎となって燃焼することを、的確に行えるものとなる。
【００３１】
同様に、ガス燃料噴出部に供給されるガス燃料のうちの大部分又は全部を、下方噴出口と中間噴出口とから噴出させて、火炎を下方寄りに形成する場合において、複数の左方噴出口、複数の下方噴出口、複数の右方噴出口、及び、中間噴出口から噴出されるガス燃料が、一体状態の火炎となって燃焼することを、的確に行えるものとなる。
【００３２】
要するに、本発明の第４特徴構成によれば、上記第３特徴構成による作用効果に加えて、安定燃焼化を一層向上できる加熱炉用の燃焼装置を提供できる。
【００３３】
本発明の第５特徴構成は、上記第２又は第３特徴構成に加えて、
前記上方噴出口、前記下方噴出口、及び、前記中間噴出口が、ガス燃料の噴出方向を変更調節自在に構成されている点を特徴とする。
【００３４】
すなわち、上方噴出口、下方噴出口、及び、中間噴出口から噴出されるガス燃料の噴出方向を変更することによって、設置条件等に応じて、種々の形状の火炎を形成することができる。
【００３５】
つまり、例えば、上方噴出口、下方噴出口、及び、中間噴出口から噴出されるガス燃料の噴出方向を、上下に変更するようにして、斜め上方に伸びる火炎や斜め下方に伸びる火炎を形成することができ、また、上方噴出口、下方噴出口、及び、中間噴出口から噴出されるガス燃料の噴出方向を、左右に変更するようにして、左方に伸びる火炎や右方に伸びる火炎を形成できる等、種々の火炎を形成することができるものとなる。
【００３６】
要するに、本発明の第５特徴構成によれば、上記第２又は第３特徴構成による作用効果に加えて、種々の形状の火炎を形成することができる加熱炉用の燃焼装置を提供できる。
【００３７】
本発明の第６特徴構成は、上記第１〜第５特徴構成のいずれかに加えて、
前記酸素含有ガス供給口の一つに対して、複数の前記バーナタイルが、前記酸素含有ガス供給口の横幅方向に沿って並設されている点を特徴とする。
【００３８】
すなわち、酸素含有ガス供給口の一つに対して、複数のバーナタイルが、酸素含有ガス供給口の横幅方向に沿って並設されるものであるから、酸素含有ガス供給口の横幅が大きい場合においても、バーナタイルの製作の容易化、並びに、設置作業の容易化を図ることができるものとなる。
【００３９】
つまり、酸素含有ガス供給口が、酸素含有ガスを幅広状態で供給すべく、大きな横幅となる状態で設けられる場合があるが、このような場合において、酸素含有ガス供給口の横幅と同等な横幅を有するバーナタイルを製作して設置することが考えられるが、この場合には、大型のバーナタイルを製作する作業が煩雑となる不利や、大型のバーナタイルを設置する作業が煩雑な作業となる不利がある。
【００４０】
これに対して、本第６特徴構成によれば、製作し易く、設置作業を行い易い大きさのバーナタイルを製作して、酸素含有ガス供給口の一つに対して、複数のバーナタイルを並設することができるため、バーナタイルの製作の容易化、並びに、設置作業の容易化を図ることができるのである。
【００４１】
要するに、本発明の第６特徴構成によれば、上記第１〜第５特徴構成のいずれかによる作用効果に加えて、バーナタイルの製作の容易化、並びに、設置作業の容易化を図ることができる加熱炉用の燃焼装置を提供できる。
【図面の簡単な説明】
【００４２】
【図１】第１実施形態のガラス溶解炉の縦断正面図
【図２】図１のＩＩ−ＩＩ線矢視図
【図３】同実施形態のガラス溶解炉の縦断正面図
【図４】同縦断正面図
【図５】第１実施形態の燃焼装置の正面図
【図６】バーナタイルの一部切欠側面図
【図７】バーナタイルの一部切欠平面図
【図８】ガス燃料の供給構成を示す概略図
【図９】第２実施形態のガラス溶解炉の縦断背面図
【図１０】図９のＸ−Ｘ線矢視図
【図１１】第２実施形態の燃焼装置の正面図
【図１２】別実施形態の一部切欠き平面図
【発明を実施するための形態】
【００４３】
〔第１実施形態〕
以下、本発明の実施形態を図面に基づいて説明する。
図１〜図４に示すように、加熱炉としてのガラス溶解炉には、天井がアーチ型に形成された炉本体１の下部に、平面視にて矩形状のガラス溶解槽２が、炉側壁４としての、前側壁４Ｆ、後側壁４Ｒ、左右の横側壁４Ｓにて区画形成された状態で設けられ、前側壁４Ｆに、加熱対象物としてのガラス原料を投入する投入口４ｉが形成され、後側壁４Ｒに、ガラス溶解槽２から溶解ガラスを取出す取出口４ｅが形成され、取出口４ｅにてガラス溶解槽２と連通する作業槽３が設けられ、ガラス溶解槽２の上方空間にてガス燃料を燃焼させる６台の燃焼装置Ｎが設けられている。
【００４４】
そして、ガラス溶解炉は、投入口４ｉから投入したガラス原料を、ガラス溶解槽２にて溶解させながら作業槽３に向かって流動させて、取出口４ｅを通して清浄な溶解ガラスを作業槽３に導くように構成されている。
ちなみに、図１は、ガラス原料の流動方向において、投入口４ｉに隣接する箇所の縦断面図であり、図３は、ガラス原料の流動方向において、投入口４ｉと取出口４ｅとの中間箇所の縦断面図であり、図４は、ガラス原料の流動方向において、取出口４ｅに隣接する箇所の縦断面図である。
【００４５】
６台の燃焼装置Ｎは、左右の横側壁４Ｓの夫々に３台ずつ振り分けた状態で装備され、そして、左側の３台の燃焼装置Ｎと右側の３台の燃焼装置Ｎとが、設定時間（例えば、１５分〜３０分）毎に、交互に燃焼するように構成されている。
【００４６】
炉本体１の左右の横外側部の夫々に、溶解槽前後方向に延びる蓄熱室Ｔが設けられて、燃焼装置Ｎは、後述の如く、蓄熱室Ｔを通過して高温（１０００〜１２００℃）に予熱された燃焼用空気Ａにてガス燃料を燃焼させるように構成されている。
蓄熱室Ｔは、燃焼装置Ｎによる燃焼が行われた後の排ガスＥが通過することにより、その排ガスＥが保有する熱を蓄熱するように構成されている。
【００４７】
燃焼装置Ｎは、図１、図２及び図５に示すように、ガラス溶解炉内のガラス原料の上方の燃焼域に向けて酸素含有ガスとしての燃焼用空気Ａを供給する酸素含有ガス供給部Ｋと、燃焼域にガス燃料を噴出するガス燃料噴出部Ｗとを備えている。
【００４８】
酸素含有ガス供給部Ｋは、炉側壁４としての横側壁４Ｓに横長状に形成された酸素含有ガス供給口としての空気口５と、蓄熱室Ｔと空気口５とを連通する空気供給路６とから構成され、上述の如く、蓄熱室Ｔを通過して高温に予熱された燃焼用空気Ａを、空気口５を通して、燃焼域に向けて広幅となる流動状態で供給するように構成されている。
尚、燃焼用空気Ａの供給速度は、例えば、８〜１５ｍ／Ｓである。
【００４９】
空気供給路６の断面形状及びその先端の空気口５の形状は、図５に示すように、下縁が直線状に形成され、上縁が下縁の両端を結ぶ上方に突出湾曲状に形成されたカマボコ状である。
ちなみに、空気供給路６の下縁部分は、側面視にて、水平方向に対して１０度下向きに傾斜し、かつ、空気供給路６の上縁の頂部部分は、側面視にて、水平方向に対して２０度下向きに傾斜するように形成されており、燃焼用空気が燃焼域に向けて下向きに流動するように構成されている。
【００５０】
図１に示すように、送風機Ｓの空気を左右の蓄熱室Ｔの一方に供給しかつ他方の蓄熱室Ｔから排出される排ガスＥを外部に排出する状態と、送風機Ｓの空気を左右の蓄熱室Ｔの他方に供給しかつ一方の蓄熱室Ｔから排出される排ガスＥを外部に排出する状態とに切換える流路切換機構Ｕが設けられている。
そして、この流路切換機構Ｕにより、左側の燃焼装置Ｎに燃焼用空気Ａを供給する状態と、右側の燃焼装置Ｎに燃焼用空気Ａを供給する状態とに切換えることにより、上述の如く、左側の燃焼装置Ｎを燃焼させる状態と右側の燃焼装置Ｎを燃焼させる状態とを切換えるように構成されている。
【００５１】
ガス燃料噴出部Ｗについて説明を加えると、図２及び図５に示すように、ガス燃料噴出部Ｗとして、横幅方向の全幅に亘って分散する状態で複数のガス燃料噴出口７を形成したバーナタイル８が、炉側壁４としての横側壁４Ｓに設置されている。
【００５２】
具体的には、本実施形態においては、一つの空気口５に対して、３つのバーナタイル８が燃焼域の横幅方向に相当する方向に沿って並設されている。
ちなみに、空気口５の燃焼域の横幅方向に沿う横幅Ｌ１は、例えば、１．５〜２ｍであり、そして、バーナタイル８の燃焼域の横幅方向に沿う横幅Ｌ２は、例えば、４００ｍｍであり、バーナタイルの上下方向に沿う上下幅は、例えば、３５０ｍｍである。
尚、空気口の横幅Ｌ１とバーナタイル８の横幅Ｌ２とは、Ｌ２とバーナタイル８の設置数との積をＬ１で割った値が、０．６以上で且つ１．０以下となる関係となるように、定められることになる。
【００５３】
図５に示すように、バーナタイル８に形成する複数のガス燃料噴出口７として、バーナタイル８の横幅方向の中央側で且つバーナタイルの上下幅方向の上部及び下部の夫々に、横幅方向に並ぶ状態で形成される複数の上方噴出口７ｕ及び複数の下方噴出口７ｓと、バーナタイル８の上下幅方向の中央部に形成される中間噴出口７ｔとが設けられている。
ちなみに、本実施形態においては、上方噴出口７ｕや下方噴出口７ｓは、５個形成されている。
【００５４】
そして、中間噴出口７ｔとして、バーナタイル８の横幅方向の左方部及び右方部の夫々において、バーナタイル８の横幅方向に並ぶ状態で形成される複数の左方噴出口７ｈ及び複数の右方噴出口７ｍ、並びに、バーナタイル８の横幅方向の中央部に形成される中央噴出口７ｃが設けられている。
ちなみに、本実施形態においては、左方噴出口７ｈ及びの右方噴出口７ｍは、３個形成され、中央噴出口７ｃは１個形成されている。
【００５５】
また、上方噴出口７ｕ、下方噴出口７ｓ、及び、中間噴出口７ｔから分配して噴出されるガス燃料の分配率を変更調節する分配率調節手段Ｖ（図８参照）が設けられて、後述の如く、火炎形成状態を変更できるように構成されている。
【００５６】
バーナタイル８について説明しながら、上方噴出口７ｕ、下方噴出口７ｓ、及び、中間噴出口７ｔについて説明を加えると、バーナタイル８は、外形が直方体状に形成されている（図８参照）。
図６に示すように、バーナタイル８には、上方噴出口７ｕを先端部に形成するガス燃料流動孔Ｇｕ、下方噴出口７ｓを先端部に形成するガス燃料流動孔Ｇｓ、及び、中間噴出口７ｔを形成するガス燃料流動孔Ｇｔが設けられている。
【００５７】
上方噴出口７ｕを先端部に形成する５個のガス燃料流動孔Ｇｕは、図示はしないが、バーナタイル８の横幅方向に沿って５個形成され、同様に、下方噴出口７ｓを先端部に形成するガス燃料流動孔Ｇｓは、図示はしないが、バーナタイル８の横幅方向に沿って５個形成されている。
また、中間噴出口７ｔを形成するガス燃料流動孔Ｇｔは、図７に示すように、バーナタイル８の横幅方向に沿って７個形成されている。
【００５８】
図６に示すように、５個の上方噴出口７ｕの夫々に連通する５個のガス燃料流動孔Ｇｕが下向き傾斜状態になるように形成され、５個の下方噴出口７ｓの夫々に連通するガス燃料流動孔Ｇｓが上向き傾斜状態になるように形成されて、５個の上方噴出口７ｕ及び５個の下方噴出口７ｓから噴出されるガス燃料が、集束箇所Ｄに向けて流動するように構成されている。
尚、中間噴出口７ｔを先端に形成するガス燃料流動孔Ｇｔは、図６に示すように、側面視においては、水平方向に沿う姿勢に形成されている。
【００５９】
ちなみに、本実施形態においては、５個の上方噴出口７ｕの夫々に連通する５個のガス燃料流動孔Ｇｕは、平面視においては、空気口５から吐出される燃焼用空気Ａの吐出方向に沿う平行姿勢で形成されるが、平面視においても、ガス燃料が集束箇所Ｄに向けて流動するように、５個のガス燃料流動孔Ａｕのうちの左右両側のガス燃料流動孔Ｇｕを傾斜姿勢に形成してもよい。
【００６０】
同様に、本実施形態においては、５個の下方噴出口７ｓの夫々に連通する５個のガス燃料流動孔Ｇｓは、平面視においては、空気口５から吐出される燃焼用空気Ａの吐出方向に沿う平行姿勢で形成されるが、平面視においても、ガス燃料が集束箇所Ｄに向けて流動するように、５個のガス燃料流動孔Ｇｓのうちの左右両側のガス燃料流動孔Ｇｓを傾斜姿勢に形成してもよい
【００６１】
図７に示すように、中間噴出口７ｔのうちの３個の左方噴出口７ｈの夫々に連通するガス燃料流動孔Ｇｔが、平面視において、先端側ほど右側に傾斜する姿勢に形成され、中間噴出口７ｔのうちの３個の右方噴出口７ｍの夫々に連通するガス燃料流動孔Ｇｔが、平面視において、先端側ほど左側に傾斜する姿勢に形成され、中間噴出口７ｔのうちの中央噴出口７ｃに連通するガス燃料流動孔Ｇｔが、平面視において、空気口５から吐出される燃焼用空気Ａの吐出方向に沿う姿勢に形成されて、７つの中間噴出口７ｔから噴出されるガス燃料が、上述した集束箇所Ｄに向けて流動するように構成されている。
【００６２】
つまり、本実施形態においては、上方噴出口７ｕ、下方噴出口７ｓ、及び、中間噴出口７ｔが、ガス燃料を集束させる方向に向けて噴出するように構成されており、火炎が必要以上に長くなることを抑制して、短炎化を図るようになっている。
ちなみに、本実施形態においては、上述の集束箇所Ｄは、バーナタイル８から０．５〜１．０ｍの位置に設定されている。
【００６３】
尚、本実施形態においては、上方噴出口７ｕのガス燃料噴出方向と下方噴出口７ｓのガス燃料噴出方向とが交差する角度Ｋ１が、２５度に設定され、中間噴出口７ｔのうちの左方噴出口７ｈのガス燃料噴出方向と右方噴出口７ｍのガス燃料噴出方向とが交差する角度Ｋ２が、２５度に設定されている。
ちなみに、図６及び図７においては、ガス燃料噴出方向を分かり易くするために、上記設定関係とは異なる関係で記載している。
【００６４】
図６及び図７に示すように、バーナタイル８の後部には、ガス燃料供給用の供給口集合部９が、接続部１０を介して装備されている。
供給口集合部９は、矩形状の板状体９Ａを備えて、その板状体９Ａに、上方噴出口７ｕに連通するガス燃料流動孔Ｇｕにガス燃料を供給するための上部燃料供給口１１ｕ、下方噴出口７ｓ連通するガス燃料流動孔Ｇｓにガス燃料を供給するための下部燃料供給口１１ｓ、及び、中間噴出口７ｔに連通するガス燃料流動孔Ｇｔにガス燃料を供給するための中間燃料供給口１１ｔを備える形態に構成されている。
【００６５】
接続部１０は、図示は省略するが、上部燃料供給口１１ｕに供給されたガス燃料を５個のガス燃料流動孔Ｇｕに導く流路、下部燃料供給口１１ｓに供給されたガス燃料を５個のガス燃料流動孔Ｇｕに導く流路、及び、中間燃料供給口１１ｔに供給されたガス燃料を７個のガス燃料流動孔Ｇｔに導く流路を備えており、そして、供給口集合部９の板状体９Ａにボルト連結され、バーナタイル８の後端に接着等により接続されて、バーナタイル８と供給口集合部９とを接続するように構成されている。
【００６６】
そして、以上の説明から明らかな如く、本実施形態においては、上述のように構成されたバーナタイル８が、その前面を炉本体１の内部に臨ませた状態で、炉本体１の横側壁４Ｓに設けられることになる。
【００６７】
図８に示すように、都市ガス（例えば１３Ａ）等のガス燃料を供給する燃料供給路１２が、８系統のバーナタイル用燃料分岐路１２ｎに分岐され、各バーナタイル用燃料分岐路１２ｎが、さらに、上部用分岐路１２ｕ、下部用分岐路１２ｓ、中間用分岐路１２ｔに分岐されている。
そして、各バーナタイル用燃料分岐路１２ｎの上部用分岐路１２ｕ、下部用分岐路１２ｓ、中間用分岐路１２ｔの夫々が、各バーナタイル８の上部燃料供給口１１ｕ、下部燃料供給口１１ｓ、中間燃料供給口１１ｔに接続されている。
【００６８】
燃料供給路１２にはガス燃料の供給を断続する燃料断続弁１３が設けられ、各バーナタイル用燃料分岐路１２ｎには、バーナタイル８へのガス燃料の供給量を調節するバーナタイル用燃料調節弁１４が設けられている。
【００６９】
また、上部用分岐路１２ｕには、５個の上方噴出口７ｕへのガス燃料の供給量を調節する上部用燃料調節弁１５ｕが設けられ、下部用分岐路１２ｓには、５個の下方噴出口７ｓへのガス燃料の供給量を調節する下部用燃料調節弁１５ｓが設けられ、さらに、中間用分岐路１２ｔには、７個の中間噴出口７ｔへのガス燃料の供給量を調節する中間用燃料調節弁１５ｔが設けられている。
つまり、本実施形態においては、上部用燃料調節弁１５ｕ、下部用燃料調節弁１５ｓ、及び、中間用燃料調節弁１５ｔにより、上述した分配率調節手段Ｖが構成されることになる。
【００７０】
図８に示すように、本実施形態においては、６個の燃焼装置Ｎの運転を制御する運転制御部２０、及び、その運転制御部２０に各種の制御指令を指令する操作部２１が設けられている。
操作部２１には、図示を省略するが、燃焼装置Ｎの運転開始及び停止を指令する運転スイッチの他に、６個の燃焼装置Ｎ夫々に対応して、火炎の形成状態を、上方寄り火炎形成状態、短炎形成状態、及び、下方寄り火炎形成状態のうちから択一的に指令する火炎形成状態指令スイッチ等が設けられている。
【００７１】
上方寄り火炎形成状態は、バーナタイル８に供給されるガス燃料を、そのうちの大部分が５個の上方噴出口７ｕから噴出されるように予め設定された上方寄り火炎形成用の設定分配率（例えば、８０：２０：０）にて、５個の上方噴出口７ｕ、７個の中間噴出口７ｔ、５個の下方噴出口７ｓから分配して噴出する状態である。
そして、上方寄り火炎形成状態においては、図１に示すように、火炎がバーナタイル８から斜め上方に向けて伸びる状態に形成される。
【００７２】
短炎形成状態は、バーナタイル８に供給されるガス燃料を、そのうちの大部分が５個の上方噴出口７ｕと５個の下方噴出口７ｓから噴出されるように予め設定された短炎形成用の設定分配率（例えば、４０：２０：４０）にて、５個の上方噴出口７ｕ、７個の中間噴出口７ｔ、５個の下方噴出口７ｓから分配して噴出する状態である。
そして、短炎形成状態においては、図３に示すように、火炎がバーナタイル８から水平方向に向けて伸びる状態に形成される。
【００７３】
下方寄り火炎形成状態は、バーナタイル８に供給されるガス燃料を、そのうちの大部分が５個の下方噴出口７ｓから噴出されるように予め設定された下方寄り火炎形成用の設定分配率（例えば、０：２０：８０）にて、５個の上方噴出口７ｕ、７個の中間噴出口７ｔ、５個の下方噴出口７ｓから分配して噴出する状態である。
そして、下方寄り火炎形成状態においては、図４に示すように、火炎がバーナタイル８から斜め下方に向けて伸びる状態に形成される。
【００７４】
このように、火炎の形成状態が、上方寄り火炎形成状態、短炎形成状態、及び、下方寄り火炎形成状態に変更されるが、いずれの状態においても、図２に示すように、バーナタイル８の横幅と同幅の大きな幅となる火炎が形成されることになる。
【００７５】
ガラス溶解槽２におけるガラス原料流動方向上手側の部分は、図１に示すように、ガラス原料が溶解されつつ浮遊しているので、ガラス溶解槽２の上面は凸凹状となり、ガラス溶解槽２におけるガラス原料流動方向下流側の部分は、図４に示すように、その部分に至るまでにガラス原料の殆どが溶解されて、ガラス原料は浮遊していないので、ガラス溶解槽２の上面は平坦である。
【００７６】
そこで、炉本体１の左右夫々の横側壁４Ｓに設けられた６台の燃焼装置Ｎ夫々における火炎の形成状態を、操作部２１の火炎形成状態指令スイッチにより、投入口４ｉに最も近い１番目の燃焼装置Ｎを上方寄り火炎形成状態に、投入口４ｉに次ぎに近い２番目の燃焼装置Ｎを短炎形成状態に、投入口４ｉから離れる３番目の燃焼装置Ｎを下方寄り火炎形成状態に夫々設定する。
【００７７】
このように火炎の形成状態を設定することにより、ガラス溶解槽２におけるガラス原料流動方向の上手側の部分においては、図１に示すように、バーナタイル８から斜め上方に向けて伸びる状態の火炎が形成されるので、ガラス溶解槽２に浮遊するガラス原料に火炎が当たらないようにすることができる。
【００７８】
又、ガラス溶解槽２におけるガラス原料流動方向の中間部分においては、図３に示すように、バーナタイル８から水平方向に向けて伸びる火炎が形成されるので、ガラス溶解槽２に浮遊するガラス原料が残存しても、そのガラス原料に火炎が当たることを抑制しながらも、火炎をガラス溶解槽２の上面に近づけて、ガラス溶解槽２を効率良く加熱することができる。
【００７９】
さらに、ガラス溶解槽２におけるガラス原料流動方向の下流側の部分においては、図４に示すように、バーナタイル８から斜め下方に向けて伸びる状態の火炎が形成されるので、火炎をガラス溶解槽２の上面に近接させて、効率良くガラス溶解槽２を加熱することができる。
【００８０】
尚、上記の通り、バーナタイル８を炉本体１の横側壁４Ｓに取り付けた状態で、火炎の形成高さを変更調節することができるので、３個のバーナタイル８を炉本体１の横側壁４Ｓに設置する際には、各バーナタイル８の設置高さをガラス原料流動方向における位置に応じて変更して設置するといった複雑な作業が不要となって、上述の如く、各バーナタイル８を全て同一の高さに設けることができるようになり、燃焼装置Ｎの設置作業の簡略化を図ることができる。
【００８１】
以下、運転制御部２０の制御動作を説明する。
運転制御部２０は、操作部２１の運転スイッチにより運転開始が指令されると、各バーナタイル８に対して設けられたイグナイタ（図示省略）を作動させた状態で、燃料断続弁１３を開弁し、各バーナタイル８へのガス燃料の供給量が予め設定した設定燃料供給量になるように、各バーナタイル用燃料分岐路１２ｎのバーナタイル用燃料調節弁１４の作動を制御して、燃焼装置Ｎの運転を開始する。
【００８２】
ちなみに、６台の燃焼装置Ｎは、上述の如く、３台ずつ交互に燃焼させるものであるから、操作部２１の運転スイッチにより運転開始が指令されると、最初に燃焼を開始させる３台の燃焼装置Ｎに対応するバーナタイル８に対して燃焼用空気Ａを供給すべく、流路切換機構Ｕを切換え、また、最初に燃焼を開始させる３台の燃焼装置Ｎに対応するバーナタイル８に対して設けられたイグナイタ（図示省略）を作動させた状態で、それらバーナタイル８に対してガス燃料が供給されることになる。
【００８３】
又、運転制御部２０は、操作部２１の火炎形成状態指令スイッチによる各バーナタイル８についての主炎形成状態の指令情報に基づいて、各バーナタイル８に対応する上部用燃料調節弁１５ｕ、下部用燃料調節弁１５ｓ、及び、中間用燃料調節弁１５ｔ夫々の作動を制御する。
例えば、上方寄り火炎形成状態が指令されている場合は、バーナタイル用燃料分岐路１２ｎを通して供給されるガス燃料を、上方寄り火炎形成用の設定分配率にて、上部用分岐路１２ｕ、中間用分岐路１２ｔ、下部用分岐路１２ｓに分配して通流させるように、上部用燃料調節弁１５ｕ、中間用燃料調節弁１５ｔ及び前記下部用燃料調節弁１５ｓの作動を制御する。
【００８４】
そして、運転制御部２０は、操作部２１の運転スイッチにより運転停止が指令されると、燃料断続弁１３及び酸素断続弁１８を閉弁して、燃焼装置Ｎの運転を停止する。
【００８５】
（第２実施形態）
次に、本発明の第２実施形態を説明するが、この第２実施形態は、ガラス溶解炉の異なる構成を例示するものであって、この第２実施形態の燃焼装置Ｎは、第１実施形態のバーナタイル８を用いて構成されるものであるので、以下、ガラス溶解炉の構成と、燃焼装置Ｎの第１実施形態と異なる部分についてのみ詳述して、第１実施形態と同様な構成部分については、第１実施形態と同様な符合を記載して、詳細な説明を省略する。
【００８６】
第２実施形態のガラス溶解炉は、図９及び図１０に示すように、平面視において長方形状のガラス溶解槽２の４辺を囲む４つの炉側壁４のうちで、長辺側となる一対の横側壁４Ｓの一方における前側壁４Ｆに近い箇所に、投入口４ｉが設けられ、その横側壁４Ｓに隣接する短辺側の前側壁４Ｆ及び後側壁４Ｒのうちの、投入口４ｉから離れる側の後側壁４Ｒに、取出口４ｅが設けられている。
すなわち、このガラス溶解炉は、投入口４ｉから取出口４ｅに向けて屈曲状にガラス原料を流動させるように構成されている。
【００８７】
そして、図１１に示すように、上述した短辺側となる前側壁４Ｆ及び後側壁４Ｒのうちの、投入口４ｉに隣接する前側壁４Ｆに、２台の燃焼装置Ｎが並置されている。
この２台の燃焼装置Ｎは、設定時間（例えば、１５分〜３０分）毎に、交互に燃焼するように構成されている。
【００８８】
本実施形態においては、本実施形態においては、前側壁４Ｆに、２台の燃焼装置Ｎに対応させて左右一対の空気口５が形成され、各空気口５に対して、１つのバーナタイル８が設定されている。
【００８９】
ちなみに、この第２実施形態の場合においては、例えば、投入口４ｉに隣接する側のバーナタイル８による火炎形成状態を、上方寄り火炎形成状態に設定し、投入口４ｉから離れる側のバーナタイル８による火炎形成状態を、下方寄り火炎形成状態又は短炎形成状態に設定することになる。
【００９０】
〔別実施形態〕
次に別実施形態を説明する。
（イ）上記第１及び第２実施形態においては、本発明の燃焼装置Ｎをガラス溶解炉に適用した場合を例示したが、本発明の燃焼装置Ｎは、鍛造炉等の各種の加熱炉に適用できるものである。
【００９１】
（ロ）上記第１及び第２実施形態においては、中間噴出口７ｔとして、バーナタイル８の横幅方向の中央部に中央噴出口７ｃを設ける場合を例示したが、この中央噴出口７ｃを省略する形態で実施してもよい。
【００９２】
（ハ）上記第１実施形態において例示した如く、バーナタイル８をガラス溶解槽２におけるガラス原料流動方向に沿って並置する場合、その並置数はガラス溶解槽２の平面視での大きさに応じて変更設定することができる。又、ガラス溶解槽２の平面視での大きさが小さい場合は１つでもよい。
【００９３】
（ニ）火炎形成状態の種類は、上記の第１実施形態において例示した種類に限定されるものではない。
例えば、中間噴出口７ｔにおける左方噴出口７ｈと右方噴出口７ｍとの分配率を変更調節するように構成して、例えば、上寄り火炎形成状態や下寄り火炎形成状態において、左方噴出口７ｈからの噴出量を右方噴出口７ｍからの噴出量より多くして、火炎を左方でかつ上方に伸びる状態に形成する左上寄り火炎形成状態や、火炎を左方でかつ下方に伸びる状態に形成する左下寄り火炎形成状態にすることができる。
【００９４】
同様に、上寄り火炎形成状態や下寄り火炎形成状態において、右方噴出口７ｍからの噴出量を左方噴出口７ｈからの噴出量より多くして、火炎を右方でかつ上方に伸びる状態に形成する右上寄り火炎形成状態や、火炎を右方でかつ下方に伸びる状態に形成する右下寄り火炎形成状態に形成することができる。
【００９５】
（ホ）上記第１実施形態の燃焼装置Ｎにおいては、上方噴出口７ｕ、下方噴出口７ｓ、及び、中間噴出口７ｔが、ガス燃料を集束させる方向に向けて噴出するように構成される場合を例示したが、上方噴出口７ｕ、下方噴出口７ｓ、及び、中間噴出口７ｔが、ガス燃料を互いに平行な方向に沿って噴出するように構成して実施してもよい。
さらに、上方噴出口７ｕ、下方噴出口７ｓ、及び、中間噴出口７ｔが、平面視において、ガス燃料を拡散する方向に向けて噴出するように構成して実施してもよい。この場合には、バーナタイル８の横幅よりも、十分に大きな火炎を形成できるものとなる。
【００９６】
（へ）本発明を実施するに、上方噴出口７ｕ、下方噴出口７ｓ及び中間噴出口７ｔを、ガス燃料の噴出方向を変更調節できるように構成して実施してもよい。
すなわち、上方噴出口７ｕ、下方噴出口７ｓ及び中間噴出口７ｔのガス燃料の噴出方向を、上下方向や左右方向に変更調節できるように構成してもよい。
例えば、図１２に示すように、上方噴出口７ｕを先端に形成するガス流動パイプＰｕ、下方噴出口７ｓを先端に形成するガス流動パイプＰｓ、先端に中間噴出口７ｔを形成するガス流動パイプＰｔを、バーナタイル８に対して、先端を中心に上下方向に揺動調節自在に構成することによって、上方噴出口７ｕ、下方噴出口７ｓ及び中間噴出口７ｔが、ガス燃料の噴出方向を上下に変更できることになる。
【００９７】
また、図示はしないが、上方噴出口７ｕを先端に形成するガス流動パイプＰｕ、下方噴出口７ｓを先端に形成するガス流動パイプＰｓ、及び、先端に中間噴出口７ｔを形成するガス流動パイプＰｔを、バーナタイル８に対して、先端を中心に左右方向に揺動調節自在に構成することによって、上方噴出口７ｕ、下方噴出口７ｓ及び中間噴出口７ｔが、ガス燃料の噴出方向を左右に変更できることになる。
【００９８】
そして、上方噴出口７ｕ、下方噴出口７ｓ及び中間噴出口７ｔが、ガス燃料の噴出方向を変更調節自在に構成されると、火炎の形成状態を種々変更できるものとなるから、設置位置等に応じて、火炎の形成状態を変更設定できるものとなる。
【００９９】
（ト）酸素含有ガス供給部Ｋにより吐出する酸素含有ガスとしては、上記の実施形態において例示した空気以外に、空気よりも酸素濃度を高くした酸素富化空気を用いることができる。
【０１００】
（チ）本発明の燃焼装置Ｎを適用するガラス溶解炉としては、上記の第１実施形態や第２実施形態にて説明したガラス溶解炉の他、種々の形態のガラス溶解炉がある。例えば、バッチ式でガラス原料の溶解処理を行うバッチ式のガラス溶解炉に、本発明の燃焼装置Ｎを設けるようにしてもよい。
【符号の説明】
【０１０１】
４        炉側壁
５        酸素含有ガス供給口
７        燃料噴出口
７ｕ      上方噴出口
７ｓ      下方噴出口
７ｔ      中間噴出口
７ｈ      左方噴出口
７ｍ      右方噴出口
７ｃ      中央噴出口
８        バーナタイル
Ｖ        分配率調節手段
Ｗ        燃料噴出部
【図１】
0005892809.tif 000002
【図２】
0005892809.tif 000003
【図３】
0005892809.tif 000004
【図４】
0005892809.tif 000005
【図５】
0005892809.tif 000006
【図６】
0005892809.tif 000007
【図７】
0005892809.tif 000008
【図８】
0005892809.tif 000009
【図９】
0005892809.tif 000010
【図１０】
0005892809.tif 000011
【図１１】
0005892809.tif 000012
【図１２】
0005892809.tif 000013